(57)【要約】【課題】容器内部に生ずる血液の流れを円滑にすることで、血液成分の分離精度を向上させることができる血液容器を提供する。【解決手段】血液が貯留される採血バッグ１００であって、血液が収容される本体部１０１と、本体部１０１に接続され、本体部１０１に血液を流出入する接続口１０２とを備え、本体部１０１は、接続口１０２を封止することで血液を封入する袋体であり、本体部１０１の外形の少なくとも一部は、接続口１０２を略中心として、接続口１０２から流出される血液の流出方向に対して所定角度を成すテーパー辺１０３を形成した。【選択図】図１
2007252730.tif 000002
【特許請求の範囲】
【請求項１】
血液が貯留される血液容器であって、
血液が収容される血液収容部と、
前記血液収容部に接続され、前記血液収容部に血液を流出入する血液流出入部とを備え、
前記血液収容部は、前記血液流出入部を封止することで血液を封入する袋体であり、
前記血液収容部の外形の少なくとも一部は、前記血液流出入部を略中心として、前記血液流出入部から流出される血液の流出方向に対して所定角度を成すテーパー辺が形成された血液容器。
【請求項２】
前記所定角度は、前記流出方向と前記テーパー辺とになされる鋭角の角度が略２０度から略３０度である請求項１に記載の血液容器。
【請求項３】
請求項１又は２に記載の血液容器を用いた血液成分分配容器であって、
血液が貯留される血液貯留部と、
当該血液貯留部に連結され所定の血液成分を当該血液貯留部外に送り出す連結管と、
当該連結管から分岐してなる分岐管と、
当該分岐管に連結され、血液成分が収納される成分収容部と、
前記分岐管に連結され、血液成分の流入及び流出が可能な調整用貯留部と、を備え、
前記血液貯留部は、前記血液容器であり、
前記連結管は、前記血液流出入部に連結された血液成分分配容器。
【発明の詳細な説明】
【技術分野】
【０００１】
本発明は、血液容器に関する。特に血清と血球部に分離し、血清部分のみを採取する血液成分分配容器に用いる血液容器に関する。
【背景技術】
【０００２】
現在、再生医療分野においては、対象者から採取した幹細胞を体外で増殖又は分化させたうえで対象者に移植することで対象者の組織の再生を促進させるという研究が行なわれている。幹細胞は、種々の組織や器官に分化する多分化能を有し、再生医療のカギを握る細胞として注目されている。
【０００３】
幹細胞の体外培養増殖では、培地に対して血清を添加すれば効果的であることが知られているが、ヒトの治療を目的とする場合には、ヒト以外の動物を由来とする血清を用いることは安全上の問題から避けるべきことであり、ヒト由来、特に対象者から採取した血液より調製した血清を用いることが要求される。また、血液検査と比べると再生医療の分野における幹細胞の培養には、比較的より多くの血清が必要となる。
【０００４】
血液成分の中から所定成分を分離、採取する血液成分分離装置としては、例えば、遠心分離された血液バッグを保持して血液バッグ内の内容物を押し出し、血液バッグとチューブを介して連通する分離バッグ内に血漿を移動させる装置が開示されている（特許文献１参照）。また、内部の血液成分を遠心分離した後の白血球バッグを、固定板のハンガーに懸け、装置のハンドルを操作してフックから外し、押え板によって白血球バッグを固定板に押圧させて、上部の比重の小さい成分（血漿成分）を、連結チューブを介して血漿バッグに移行させる。そして、固定板と押え板との間が所定の間隔となったときに連結チューブを閉塞する装置が開示されている（特許文献２参照）。
【特許文献１】特公昭５５−１７５８５号公報
【特許文献２】特開２００２−１４３２９５号公報
【発明の開示】
【発明が解決しようとする課題】
【０００５】
ここで、血液を遠心分離すると、血液を充填した血液バッグ内の下部に血球部が沈み、血液バッグ内の上部に血清が貯留される。これにより、血液バッグ内の内容物を押し出し、血液バッグの上部から血清のみを採取できる。すなわち、遠心分離後の血液バッグ内では、上部に血清のみを貯留させることで、分離の精度を向上できる。
しかしながら、前述した装置においては、血液を充填され遠心分離機に掛けられる血液バッグの血液を貯留する袋部分の形状は、略矩形である。このため、血液バッグ内の対流が血液バッグ内上部の角部分で滞り、遠心分離後は、血液バッグ内上部の角部分に凝血が残る場合があり、分離の精度の向上を妨げていた。
【０００６】
また、作業効率を向上させるためには、成分毎に分離された血液を貯留する血液貯留部としての血液バッグを押圧し、例えば、血清成分を血液バッグから押し出して、複数の成分収容部としての分離バッグに移動させることが考えられる。このとき、血液貯留部内の形状が略矩形であった場合、血液貯留部内上部の角部分で、血清成分の円滑な流れを妨げ、分離された各成分の界面を乱し、分離の精度の向上を妨げていた。
【０００７】
本発明は、以上のような課題に鑑みてなされたものであり、容器内部に生ずる血液の流れを円滑にすることで、血液成分の分離精度を向上させることができる血液容器を提供することを目的とする。
【０００８】
ここで、「血清」とは、採取した血液を放置すると流動性が低下し、その後に赤い凝固塊（血餅）から分離される淡黄色の液体をいう。
【課題を解決するための手段】
【０００９】
上記の目的を達成するために、本発明は、以下のようなものを提供する。
【００１０】
（１）  血液が貯留される血液容器であって、血液が収容される血液収容部と、前記血液収容部に接続され、前記血液収容部に血液を流出入する血液流出入部とを備え、前記血液収容部は、前記血液流出入部を封止することで血液を封入する袋体であり、前記血液収容部の外形の少なくとも一部は、前記血液流出入部を略中心として、前記血液流出入部から流出される血液の流出方向に対して所定角度を成すテーパー辺が形成された血液容器。
【００１１】
（１）の発明によれば、血液容器は、血液収容部に収容された血液を血液流出入部から流出入する。血液流出入部を封止することで血液を封入する袋体である血液収容部には、血液流出入部を略中心として、血液流出入部から流出される血液の流出方向に対して所定角度を成すテーパー辺を形成した。このテーパー辺により、遠心分離のときは、血液流出入部近傍での血液の流れがスムーズになり、血液の対流に滞りが生じないので、血液流出入部近傍に凝血が残るのを防止できる。また、例えば、遠心分離後に血液容器を押圧し、血清成分を血液流出入部から流出して、他の容器に移動させるときには、テーパー辺により、血液流出入部近傍での血液の流れを円滑にし、スムーズに血清成分を血液流出入部から流出するので、分離された各成分の界面を乱すことがない。したがって、容器内部に生ずる血液の流れを円滑にすることで、血液成分の分離精度を向上させることができる。
【００１２】
（２）  （１）の血液容器であって、前記所定角度は、前記流出方向と前記テーパー辺とになされる鋭角の角度が略２０度から略３０度である血液容器。
【００１３】
（２）の発明によれば、血液流出入部から流出される血液の流出方向とテーパー辺とになされる鋭角の角度を略２０度から略３０度とすることで、テーパー辺の角度を大きくした場合に比べて容器内部の容積を大きく確保しつつ、容器内部に生ずる血液の流れを円滑にし、血液成分の分離精度を向上させることができる。
【００１４】
（３）  （１）又は（２）の血液容器を用いた血液成分分配容器であって、血液が貯留される血液貯留部と、当該血液貯留部に連結され所定の血液成分を当該血液貯留部外に送り出す連結管と、当該連結管から分岐してなる分岐管と、当該分岐管に連結され、血液成分が収納される成分収容部と、前記分岐管に連結され、血液成分の流入及び流出が可能な調整用貯留部と、を備え、前記血液貯留部は、前記血液容器であり、前記連結管は、前記血液流出入部に連結された血液成分分配容器。
【００１５】
（３）の発明によれば、血液が貯留された血液貯留部を加圧することで、血液貯留部に貯留されていた所定の血液成分を、連結管に送り出す。この連結管に送り出された所定の血液成分は、分岐管に流入し、血液成分が収納される複数の成分収容部に流入される。また、調整用貯留部を備えることで、内部圧力差を利用して、成分収容部の上部に滞留したエアを調整用貯留部に移動できる。また、血液貯留部を、血液が収容される血液収容部と、血液収容部に血液を流出入する血液流出入部とを備える血液容器とし、この血液収容部に、血液流出入部を略中心として、血液流出入部から流出される血液の流出方向に対して所定角度を成すテーパー辺を形成した。これにより、血液貯留部からの血液の送り出しがスムーズになるので、血液貯留部内で分離された各成分の界面を乱すような対流を発生させることがないので、血液成分の高い分離精度を維持しつつ血液貯留部に収納された血液成分を成分収容部に収容することができる。
【発明の効果】
【００１６】
本発明によれば、血液容器は、血液収容部に収容された血液を血液流出入部から流出入する。血液流出入部を封止することで血液を封入する袋体である血液収容部には、血液流出入部を略中心として、血液流出入部から流出される血液の流出方向に対して所定角度を成すテーパー辺を形成した。このテーパー辺により、遠心分離のときは、血液流出入部近傍での血液の流れがスムーズになり、血液の対流に滞りが生じないので、血液流出入部近傍に凝血が残るのを防止できる。また、例えば、遠心分離後に血液容器を押圧し、血清成分を血液流出入部から流出して、他の容器に移動させるときには、テーパー辺により、血液流出入部近傍での血液の流れを円滑にし、スムーズに血清成分を血液流出入部から流出するので、分離された各成分の界面を乱すことがない。したがって、容器内部に生ずる血液の流れを円滑にすることで、血液成分の分離精度を向上させることができる。
【発明を実施するための最良の形態】
【００１７】
以下、本発明の実施形態を図面に基づいて説明する。なお、以下の実施形態の説明にあたって、同一構成要件については同一符号を付し、その説明を省略もしくは簡略化する。
図１は、本発明の実施形態の血液容器としての採血バッグ１００の正面図である。
図１に示すように、採血バッグ１００は、遠心分離される血液を収容する血液収容部としての本体部１０１と、この本体部１０１の上部に接続され、本体部１０１に血液を流出入する血液流出入部としての接続口１０２と、を備える。
【００１８】
本体部１０１は、接続口１０２を封止することで血液を封入する袋体である。また、本体部１０１の上部は、接続口１０２を略中心として、接続口１０２から流出される血液の流出方向に対して所定角度を成すテーパー辺１０３が形成されている。
テーパー辺１０３は、接続口１０２から流出される血液の流出方向とによりなされる鋭角の角度が３０度になるように形成されている。
接続口１０２には、後述する連結チューブ４００（図３）の一端部が気密接続されている。
【００１９】
図２は、本発明の実施形態の変形例である血液容器としての採血バッグ１００ａの正面図である。
図２に示すように、採血バッグ１００ａは、遠心分離される血液を収容する血液収容部としての本体部１０１ａと、この本体部１０１ａの上部に接続され、本体部１０１ａに血液を流出入する血液流出入部としての接続口１０２ａと、を備える。
【００２０】
本体部１０１ａは、接続口１０２ａを封止することで血液を封入する袋体である。また、本体部１０１ａの上部は、接続口１０２ａを略中心として、接続口１０２ａから流出される血液の流出方向に対して所定角度を成すテーパー辺１０３ａが形成されている。
テーパー辺１０３ａは、接続口１０２ａから流出される血液の流出方向と略平行である本体部１０１ａの辺の長さが、本体部１０１ａの底部から接続口１０２ａまでの長さの略３分の１となる位置まで形成されている。
なお、採血バッグ１００、１００ａは、軟質ポリ塩化ビニルなどにより形成され、これらの内部は前もって滅菌処理が施されている。
【００２１】
図３は、本発明の実施形態の血液成分分配容器１の正面図である。
図３に示すように、血液成分分配容器１は、血液が貯留されている血液貯留部としての採血バッグ１００、採血バッグ１００から採取された血清を貯留する成分収容部としての複数の分取バッグ２００、血清の一部を一時的に貯留する調整バッグ３００、採血バッグ１００と分取バッグ２００と調整バッグ３００とを連結する連結チューブ４００〜４０５、及び採血バッグ１００からの流路を分岐させる分岐管４５０〜４５２とによって構成されている。
【００２２】
採血バッグ１００の本体部１０１の上部に接続された接続口１０２には連結チューブ４００の一端部が気密接続されている。連結チューブ４００の他端部には分岐管４５０が連結されており、分岐管４５０の一方の分岐路には連結チューブ４０１を介して分岐管４５１が連結されており、分岐管４５１の各分岐路には連結チューブ４０２、４０３を介して分取バッグ２００が気密接続されている。また、分岐管４５０の他方の分岐路には連結チューブ４０４を介して分岐管４５２が連結されており、分岐管４５２の一方の分岐路には連結チューブ４０５を介して調整バッグ３００が気密接続されている。また、分岐管４５２の他方の分岐路には連結チューブ４０６を介して分取バッグ２００が気密接続されている。
【００２３】
また、分取バッグ２００及び調整バッグ３００の本体部２０１、３０１は、袋体によって構成されており、各々が軟質ポリ塩化ビニルなどからなる。これらも前もって滅菌処理が施されている。また、分取バッグ２００の上部に設けられた接続口２０５の両側に、フック等を遊嵌させることができる孔部２１０が形成されている。また、調整バッグ３００における連結チューブ４０５の接続口３０５に対して、上下方向反対側の部位に、調整バッグ３００をスタンドの懸架ハンガー等に遊嵌させて吊り下げるための孔部３１０が形成されている。
【００２４】
また、連結チューブ４０１〜４０６は分離された血液成分を導出するための導出路の役割を担っている。これらの連結チューブ４０１〜４０６については、柔軟性を有した樹脂材料、例えば、軟質ポリ塩化ビニルなどの公知材料から構成されている。
【００２５】
また、血液成分分配容器１において、連結チューブ４０１〜４０６の所要の箇所、すなわち連結チューブ４００、４０２、４０３、４０５、４０６をクランプ５００〜５０４で挟むことで血液及び抽出された血清を導出する際に、その流路を切り替えることができる構成となっている。本実施形態においては連結チューブ４００にクランプ５００、連結チューブ４０５にクランプ５０１、連結チューブ４０２、４０３、４０６にクランプ５０２、５０３、５０４が設けられている。
【００２６】
次に、図４から図６を用いて、血液成分分配容器１を用いた血清成分の採取作業について説明する。
図４は、採血バッグ１００に収容された血清成分を３つの分取バッグ２００に送り出した状態の血液成分分配容器１の正面図である。
まず、採取した血液を貯留した採血バッグ１００を遠心分離器（図示せず）にかけて、血液を成分毎に分離する。このとき、採血バッグ１００内の成分層において血清成分が最上層を形成する。次に、採血バッグ１００、分取バッグ２００、および調整バッグ３００を、これらのバッグの鉛直方向の位置関係が採血バッグ１００、分取バッグ２００、調整バッグ３００の順に低くなるように設置する。また、クランプ５００及びクランプ５０１は予め閉じておき、クランプ５０２、５０３、５０４は開放状態とする。
【００２７】
次に、採血バッグ１００を加圧する。次に、手動にてクランプ５００を開放して、連結チューブ４００の流路を開放する。この時、加圧によって採血バッグ１００内の血清成分が押し出され、図４中の矢印によって示すように、連結チューブ４００〜４０４、４０６を介して３つの分取バッグ２００に血清成分が移動する。これにより、３つの分取バッグ２００に血清成分が貯留される。ここで、クランプ５００の開放時に、図４中の矢印によって示すように、連結チューブ４００〜４０４、４０６内に残留していたエアは、血清成分とともに３つの分取バッグ２００に押し出され、分取バッグ２００の上部に蓄積される。そして、３つの分取バッグ２００内に所定量の血清成分が貯留された時点で、クランプ５００を閉じて、連結チューブ４００の流路を閉鎖する。
【００２８】
図５は、３つの分取バッグ２００に収容された血清成分の一部をエアとともに調整バッグ３００に送り出した状態の血液成分分配容器１の正面図である。
次に、調整バッグ３００を分取バッグ２００の下方に位置付けてから、手動にてクランプ５０１を開放して、連結チューブ４０６の流路を開放する。この時、３つの分取バッグ２００を加圧する。これにより、図５中の矢印によって示すように、３つの分取バッグ２００の上部に貯留されたエアとともに血清成分の一部が連結チューブ４０１〜４０６を通って調整バッグ３００に移動する。そして、３つの分取バッグ２００内からエアが調整バッグ３００に全て移動し、連結チューブ４０１〜４０６内が血清成分で満たされた時点で、クランプ５０１を閉じて、連結チューブ４０６の流路を閉鎖する。
【００２９】
図６は、エアとともに血清成分を収容した３つの分取バッグ２００からエアのみが抜かれた状態の血液成分分配容器１の正面図である。
次に、調整バッグ３００の底部を、血液成分分配容器１中最も高い位置に設置する。この時、調整バッグ３００の接続口３０５は下方を向くため、調整バッグ３００内においては、接続口３０５付近は血清成分によって満たされ、その上部にエアが貯留された状態となる。このような状態で、クランプ５０１を開いて、連結チューブ４０６の流路を開放することにより、図６中の矢印によって示すように、調整バッグ３００と分取バッグ２００との落差による圧力によって、調整バッグ３００内の血清成分が３つの分取バッグ２００に移動する。そして、調整バッグ３００内に血清成分がなくなった後に、クランプ５０２〜５０４を閉鎖することによって、採血バッグ１００から血清成分を採取して、３つの分取バッグ２００に小分けする作業が完了する。なお、採血バッグ１００や、分取バッグ２００に加圧する際に加圧装置を用いることができる。また、調整バッグ３００から血清成分が３つの分取バッグ２００に移動しにくい場合には、調整バッグ３００に手で圧力を加えて血清成分を押し出したり、加圧装置を用いて３つの分取バッグ２００に加える圧力を低減させても良い。
【００３０】
分離採取作業が終了した以降は、連結チューブ４０２、４０３、４０６を溶断するとともに流路を塞いだのちに、個々の分取バッグ２００を血液成分分配容器１から切り離す、といった作業を行う。
【００３１】
このように構成された本実施形態によれば、次のような作用効果を奏する。
【００３２】
本実施形態によれば、採血バッグ１００の本体部１０１に収容される血液は、接続口１０２から流出入される。接続口１０２を封止することで血液を封入する袋体である本体部１０１には、接続口１０２を略中心として、接続口１０２から流出される血液の流出方向に対して所定角度を成すテーパー辺１０３を形成した。このテーパー辺１０３により、接続口１０２近傍での血液の流れがスムーズになり、血液の対流に滞りが生じないので、遠心分離のときは、接続口１０２近傍に凝血が残るのを防止できる。また、例えば、遠心分離後に採血バッグ１００を押圧し、血清成分を接続口１０２から流出して、他の容器に移動させるときには、テーパー辺１０３により、接続口１０２近傍での血液の流れを円滑にし、スムーズに血清成分を接続口１０２から流出するので、分離された各成分の界面を乱すことがない。したがって、採血バッグ１００内部に生ずる血液の流れを円滑にすることで、血液成分の分離精度を向上させることができる。
【００３３】
また本実施形態によれば、接続口１０２から流出される血液の流出方向とテーパー辺１０３とになされる鋭角の角度を３０度とすることで、テーパー辺１０３の角度を大きくした場合に比べて採血バッグ１００内部の容積を大きく確保しつつ、採血バッグ１００内部に生ずる血液の流れを円滑にし、血液成分の分離精度を向上させることができる。
【００３４】
さらに本実施形態によれば、血液が貯留された採血バッグ１００を加圧することで、採血バッグ１００に貯留されていた所定の血液成分を、連結チューブ４００〜４０６に送り出す。この連結チューブ４００〜４０６に送り出された所定の血液成分は、複数の分岐管４５０〜４５２に分かれ、複数の血液成分が収納される複数の分取バッグ２００に流入される。また、調整バッグ３００を備えることで、内部圧力差を利用して、複数の分取バッグ２００の上部に滞留したエアを調整バッグ３００に移動できる。また、採血バッグ１００は、血液が収容される本体部１０１と、本体部１０１に血液を流出入する接続口１０２とを備える。この本体部１０１に、接続口１０２を略中心として、接続口１０２から流出される血液の流出方向に対して所定角度を成すテーパー辺１０３を形成した。これにより、採血バッグ１００からの血液の送り出しがスムーズになるので、採血バッグ１００内で分離された各成分の界面を乱すような対流を発生させることがないので、血液成分の高い分離精度を維持しつつ採血バッグ１００に収納された血液成分を複数の分取バッグ２００に分けることができる。
【００３５】
以上、本発明の実施形態について説明したが、本発明は上述したものに限るものではない。例えば、上述した実施形態においては、採血バッグ１００のテーパー辺１０３の角度は、任意の角度とすることができる。また、血液成分分配容器１では、血清成分を採取したが、血液成分における他の成分を抽出しても良い。
【図面の簡単な説明】
【００３６】
【図１】本発明の実施形態の採血バッグの正面図である。
【図２】本発明の別実施形態の採血バッグの正面図である。
【図３】本発明の実施形態の血液成分分配容器の正面図である。
【図４】採血バッグに収容された血清成分を３つの分取バッグに送り出した状態の血液成分分配容器の正面図である。
【図５】３つの分取バッグに収容された血清成分の一部をエアとともに調整バッグに送り出した状態の血液成分分配容器の正面図である。
【図６】エアとともに血清成分を収容した３つの分取バッグからエアのみが抜かれた状態の血液成分分配容器の正面図である。
【符号の説明】
【００３７】
１  血液成分分離装置
１００、１００ａ      採血バッグ
１０１、１０１ａ、２０１、３０１      本体部
１０２、１０２ａ、２０５、３０５      接続口
１０３、１０３ａ      テーパー辺
２００  分取バッグ
２１０、３１０      孔部
３００      調整バッグ
４００、４０１、４０２、４０３、４０４、４０５、４０６      連結チューブ
４５０、４５１、４５２        分岐管
５００、５０１、５０２、５０３、５０４      クランプ
【図１】
2007252730.tif 000003
【図２】
2007252730.tif 000004
【図３】
2007252730.tif 000005
【図４】
2007252730.tif 000006
【図５】
2007252730.tif 000007
【図６】
2007252730.tif 000008